(57)【特許請求の範囲】
【請求項１】
単層または表面が防水処理された板紙で底面（１）およびその四側縁に側壁（２）（３）（４）（５）が連設されて、四側壁の向かい合う二側壁（２）（４）の左右の両端部に第二の側壁を作る突出片（６）を設けて、側壁（２）（４）上縁に折目を介して蓋片（７）が連設されて打ち抜かれた台紙（Ａ）の内面に、側壁（２）（３）（４）（５）を起立した際に隣接する側壁の四隅の隙間から外側に三角形状にはみ出す余剰部（９）を設けて容器台紙（Ａ）からはみ出さない形に切断した単層または積層の合成樹脂フィルム（８）を底面（１）および各側壁面（２）（３）（４）（５）の任意の箇所と突出片（６）の上端付け根部（１０）で熱圧着または接着剤によって接着し、側壁（３）（５）を起立させた後、側壁（２）（４）を起立させ三角形状にはみ出す余剰部（９）を形成し、その余剰部（９）を突出片（６）で挟み込んで側壁（３）（５）に沿わせて突出片（６）と側壁（３）（５）の外壁面に接着し固定して、直方体形状を形成し内壁面を単層または積層の合成樹脂フィルム（８）で覆うことを特徴とする包装容器の製造法。
【請求項２】
底面（１）の四側縁に側壁（２）（３）（４）（５）を連設し、この四側壁の向かい合う二側壁（２）（４）の左右の両端部に第二の側壁を作る突出片（６）を設けて板紙を打ち抜いた台紙（Ａ）と、底面（１）と側壁（２）（３）（４）（５）および四側壁の向かい合う二側壁（２）（４）の左右の両端部に連設した突出片（６）と側壁（２）（４）上縁に折目を介し連設された蓋片（７）を覆い容器台紙（Ａ）からはみ出さない形に切断した合成樹脂フィルム（８）を配置し、台紙（Ａ）と合成樹脂フィルム（８）を接着し、四側壁（２）（３）（４）（５）を底面（１）から起立させると共にその側壁（２）（３）（４）（５）間の隙間から合成樹脂フィルム（８）の余剰部（９）を外側に引き出し、その引き出した三角形状の余剰部（９）を前記とは異なる向かい合った二側壁（３）（５）の外壁に沿わせてその外壁を前記突出片（６）で固定したことを特徴とした包装容器。
【請求項３】
底面（１）の四側縁に側壁（２）（３）（４）（５）を連設し、この四側壁の向かい合う二側壁（２）（４）の左右の両端部に第二の側壁を作る突出片（６）を設けて板紙を打ち抜いた台紙（Ａ）と、底面（１）と側壁（２）（３）（４）（５）および四側壁の向かい合う二側壁（２）（４）の左右の両端部に連設した突出片（６）と側壁（２）（４）上縁に折目を介し連設された蓋片（７）を覆う容器の外側に出る余剰部（９）を残して容器台紙（Ａ）からはみ出さない形に裁断した合成樹脂フィルム（８）を配置し、台紙（Ａ）と合成樹脂フィルム（８）を底面（１）および各側壁面（２）（３）（４）（５）の任意の箇所と突出片（６）の上端付け根部（１０）で熱圧着または接着剤によって接着し、四側壁（２）（３）（４）（５）を底面（１）から起立させると共にその側壁（２）（３）（４）（５）間の隙間から合成樹脂フィルム（８）の余剰部（９）を外側に引き出し、その引き出した三角形状の余剰部（９）を前記とは異なる向かい合った二側壁（３）（５）の外壁に沿わせて挟み込んでその外壁と前記突出片（６）を接着することによって固定させて組み立てられて容器形状となり、突出片（６）の接着部を側壁（３）（５）から剥がして側壁（２）（３）（４）（５）を開放することにより開封し平板な面となることができ、さらに突出片（６）に再形成用の上下食い違いに嵌合する溝部（１２）を設けて、食後の羊羹または棹物食品の残余分保管の場所には合成樹脂フィルム（８）の余剰部（９）に妨げられることなく再形成できることを特徴とする包装容器。
【発明の詳細な説明】
【技術分野】
【０００１】  本発明は、防水性のある包装容器とその製造法に関する。
【背景技術】
【０００２】  従来、羊羹や寒天・ゼラチン等を使用した棹物と呼ばれる直方体形状の食品１３は加熱溶融した後に冷却凝固させるが、その際には食品１３を流し込む型枠を用いるか、または合成樹脂フィルムによる袋状の包装材に充填し密閉した後に直方体形状の型枠に嵌め込んで製造されている。または、射出成形による樹脂製の容器に充填され製造されている。【０００３】  型枠を用いて製造した場合には、食品１３は凝固後に型枠から取り出し、個別包装される。また合成樹脂フィルムによる袋状の包装材によって充填し密閉され、型に嵌め込まれて成形されたものは凝固後に外装を施される。樹脂製容器を用いたものは充填後に別途の蓋材料により密閉されている。【０００４】  型枠で成形された食品１３は個別に包装される際に型崩れによる不良品の発生があり、使用した型枠は再利用のために洗浄が不可欠である。合成樹脂フィルムによる袋状の包装材に充填される食品１３は型に嵌め込まれていても直方体形状の稜は歪みをともなう。食品１３の材料も粘体または液体の均一な混合物として充填されるため意図した図柄で食品１３の中に付加物を配置する事が出来ない。また、樹脂製容器の場合には直方体を形成する段階で開口部より底面に向かう四隅の辺に傾斜角を設けて成型するため台形状になり直方体形状を得難い。
【先行技術文献】
【特許文献１】特開平０９−０３０５９０  公報
【特許文献２】特開平１０−１３９０３３  特許第３０５３７７６号
【０００５】  特開平０９−０３０５９０は四隅にフィルムの余剰部を設けているが突出片を設けないため隣接する側壁を固定することが出来ず、食品を充填成形する時には外周に別途の型枠を用いて嵌め込む事を必要とする。１０−１３９０３３、特許第３０５３７７６号は紙と合成フィルムの積層された複合素材で向かい合う２側壁に突出片を設けて組み立てる際に隣接した側壁に接着して組み立てているが、四隅においては壁面が重ねられているだけで防水性についての配慮はない。
【発明の概要】
【発明が解決しようとする課題】
【０００６】  本発明は、羊羹や寒天・ゼラチン等を使用した直方体形状の食品１３を形成する際に食品１３を流し込む型枠や合成樹脂フィルムによる袋状の包装材を必要とせずに、板紙と合成樹脂フィルムによって構成された直方体形状の容器の四隅から食品の漏れや流出を防止することを実現することを目的とする包装容器である。
【課題を解決するための手段】
【０００７】  請求項１記載の包装容器の製造法は、単層または表面が防水処理された板紙で底面１およびその四側縁に側壁２，３，４，５が連設されて、四側壁の向かい合う二側壁２，４の左右の両端部に第二の側壁を作る突出片６を設けて、側壁２，４上縁に折目を介して蓋片７が連設されて打ち抜かれた台紙Ａの内面に、側壁２，３，４，５を起立した際に隣接する側壁の四隅の隙間から外側に三角形状にはみ出す余剰部９を設けて容器台紙Ａからはみ出さない形に切断した単層または積層の合成樹脂フィルム８を底面１および各側壁面２，３，４，５の任意の箇所と突出片６の上端付け根部１０で熱圧着または接着剤によって接着し、側壁３，５を起立させた後、側壁２，４を起立させ三角形状にはみ出す余剰部９を形成し、その余剰部９を突出片６で挟み込んで側壁３，５に沿わせて突出片６と側壁３，５の外壁面に接着し固定して、直方体形状を形成し内壁面を単層または積層の合成樹脂フィルム８で覆うことを特徴とする。【０００８】  請求項２の包装容器は、底面１の四側縁に側壁２，３，４，５を連設し、この四側壁の向かい合う二側壁２，４の左右の両端部に第二の側壁を作る突出片６を設けて板紙を打ち抜いた台紙Ａと、底面１と側壁２，３，４，５および四側壁の向かい合う二側壁２，４の左右の両端部に連設した突出片６と側壁２，４上縁に折目を介し連設された蓋片７を覆い容器台紙Ａからはみ出さない形に切断した合成樹脂フィルム８を配置し、台紙Ａと合成樹脂フィルム８を接着し、四側壁２，３，４，５を底面１から起立させると共にその側壁２，３，４，５間の隙間から合成樹脂フィルム８の余剰部９を外側に引き出し、その引き出した三角形状の余剰部９を前記とは異なる向かい合った二側壁３，５の外壁に沿わせてその外壁を前記突出片６で固定したことを特徴とする。また請求項３の包装容器は、底面１の四側縁に側壁２，３，４，５を連設し、この四側壁の向かい合う二側壁２，４の左右の両端部に第二の側壁を作る突出片６を設けて板紙を打ち抜いた台紙Ａと、底面１と側壁２，３，４，５および四側壁の向かい合う二側壁２，４の左右の両端部に連設した突出片６と側壁２，４上縁に折目を介し連設された蓋片７を覆う容器の外側に出る余剰部９を残して容器台紙Ａからはみ出さない形に裁断した合成樹脂フィルム８を配置し、台紙Ａと合成樹脂フィルム８を底面１および各側壁面２，３，４，５の任意の箇所と突出片６の上端付け根部１０で熱圧着または接着剤によって接着し、四側壁２，３，４，５を底面１から起立させると共にその側壁２，３，４，５間の隙間から合成樹脂フィルム８の余剰部９を外側に引き出し、その引き出した三角形状の余剰部９を前記とは異なる向かい合った二側壁３，５の外壁に沿わせて挟み込んでその外壁と前記突出片６を接着することによって固定させて組み立てられて容器形状となり、突出片６の接着部を側壁３，５から剥がして側壁２，３，４，５を開放することにより開封し平板な面となることができ、さらに突出片６に再形成用の上下食い違いに嵌合する溝部１２を設けて、食後の羊羹または棹物食品の残余分保管の場合には合成樹脂フィルム８の余剰部９に妨げられることなく再形成できることを特徴とする。【０００９】  本発明で用いる単層または表面が防水処理された板紙による台紙Ａは坪量２００グラム／ｍ２から坪量５００グラム／ｍ２の厚みと剛度があって、上記の単層または積層の合成樹脂フィルム８を熱圧着または接着剤で台紙Ａの周縁からずれないように部分的に接着される。【００１０】  本発明で用いる板紙を打ち抜いた台紙Ａの内面にポリオレフィンを使用し、合成樹脂フィルム８の単層または積層の台紙Ａの内面に接する面に非熱溶融合成樹脂を使用する場合には、合成樹脂フィルム８の接着部分に熱溶融樹脂を塗布して熱圧着される。【００１１】  台紙Ａと合成樹脂フィルム８の接着箇所については各壁面において１０および１１で示している。この接着位置は最低限でありこれ以上の接着箇所が好ましい。接着部分については台紙Ａの折罫線上に掛らない方が好ましい。これは台紙Ａに合成樹脂フィルム８を接着した後の組み立てを容易にするためである。【００１２】  台紙Ａと合成樹脂フィルム８を各面において接着または熱圧着して固定した後、側壁３，５を合成樹脂フィルム８が内側になるように罫線に沿って起立させる際、合成樹脂フィルム８の余剰部９は隣接する側壁２，４の突出片６の上端付け根部１０に接着されているので壁面２，４と合成樹脂フィルム８を内側に折って形成される直方体より外側に残り、突出片６に沿って三角形状の合成樹脂フィルム８の余剰部９を形成する。【００１３】  突出片６は側壁２，３，４，５の四隅の隙間から外側におおよそ三角形状にはみ出す余剰部９を挟み込んで側壁３，５に接着され第二の側壁を形成する。この余剰部９は直方体形状を形成した際に側壁２，３，４，５の四隅の隙間から内容物が漏れて流出するのを防ぎ得る。【００１４】  この台紙Ａと合成樹脂フィルム８の接着は廃棄の際に分離できる程度の接着力でついているのがよい。【００１５】  本発明の包装容器で包装された食品１３は羊羹、水羊羹、外郎、水無月、寒天、ゼラチン、ゼリー、プリン、バター、チーズ等があげられる。
【発明の効果】
【００１６】  本発明の包装容器は、側壁２，３，４，５の隙間から引き出した合成樹脂フィルム８の余剰部９を側壁に沿わせて接着固定しているため充填した食品１３が四隅から漏れて流出するのを防ぐ効果を発揮するものである。【００１７】  本発明の包装容器は、充填後に任意の付加物を意図的に配置することができ、配置後に冷却凝固することによって意図した意匠の直方体形状の食品１３を得る事ができる効果を発揮するものである。【００１８】  本発明で包装された食品１３は、上記本発明の食品包装容器を用いて包装されているので、直方体形状の食品１３を得るために型枠や合成樹脂フィルムによる袋状の包装材や射出成型の樹脂製容器を必要とせず、さらに本発明の食品包装容器は製造時に組み立てて形成することができて樹脂製容器のようにかさばらない。【００１９】  台紙Ａと合成樹脂フィルム８は食する目的を果たした後は分離できて廃棄されるので、分別処理に適している。【００２０】  上述した本発明の包装容器は、型枠や合成樹脂フィルムによる袋状の包装材や樹脂製容器を用いずに食品を防水性を持って保持する効果を発揮するものである。
【図面の簡単な説明】
【００２１】
【図１】本発明の包装容器の打ち抜かれた台紙Ａの展開斜視図
【図２】本発明の包装容器の単層または積層の合成樹脂フィルム８の説明斜視図
【図３】突出片６と側壁２，３，４，５と合成樹脂フィルム余剰部９との関係説明図
【図４】本発明の包装容器の台紙Ａと合成樹脂フィルム８の熱溶着箇所の説明図
【図５】図１の台紙Ａと図２の合成樹脂フィルム８を接着または熱溶着した説明図
【図６】図５におけるＢ−Ｂ線断面図
【図７】本発明の包装容器の組立て完成図
【図８】本発明の包装容器の突出片６と側壁２，３，４，５で合成樹脂フィルム余剰部９を挟み込んで接着固定した断面の説明図
【図９】本発明の包装容器を開封している状況を示す説明図
【図１０】本発明の包装容器の再形成のための上下食い違いに勘合する溝部１２の説明図
【発明を実施するための形態】
【実施例】
【００２２】  以下、本発明の実施の形態を図１〜図１０に基づいて説明する。【００２３】  図２において縦２４センチ、横２４センチで厚み５５μｍの長方形の積層の合成樹脂フィルム８を用意して、組み立てた際に容器の外側に出る余剰部９を残して容器内面と同じ形に断栽し、図１のあらかじめ容器形状の展開に設計され打ち抜かれた表面が防水処理された坪量３５５グラム／ｍ２の台紙Ａに図４で示された接着箇所１０，１１で熱溶着を施して、図５の本発明の包装容器の台紙Ａと積層の合成樹脂フィルム８からなる展開材料を得た。図６は図５のＢ−Ｂ線における断面図であり、積層の合成樹脂フィルム８と台紙Ａの関係を示している。【００２４】  図３において底面１を囲む罫線に沿って短辺側側壁３，５と長辺側側壁２，４を起立させて合成樹脂フィルム８の余剰部９を形成し、突出片６によって余剰部９を挟み込んで短辺側側壁３，５の外壁に接着固定させることにより、図７の包装容器の形状を得た。【００２５】  図８は合成樹脂フィルム８の余剰分９が長辺側側壁２，４の左右の両端部に連設された突出片６によって短辺側側壁３，５に沿って接着固定された断面図である。【００２６】  図９は充填した食品１３を冷却凝固した後、突出部６の接着部を側壁３，５から剥がし、側壁２，３，４，５を開放することにより、本発明の包装容器を開封し、長さ１８センチ、幅６センチ、高さ３センチの食品１３を容易に得る事が出来た説明図である。【００２７】  図１０は図７で組み立てられた包装容器に加熱溶融した食品１３を充填して、蓋部７で蓋を成すところの説明図である。【００２８】  図１０に示すように突出部６において上下食い違いに嵌合する溝部１２を設けることにより開封後の再形成もなし得る【００２９】  したがって、本発明によれば型枠を用いず、また合成樹脂フィルムによる袋状の包装材や射出成型の容器を用いずに直方体形状の食品１３を容易に得ることができる。
【産業上の利用可能性】
【００３０】  本発明によれば、食する量に準じて包装容器を設計でき、その都度型枠や金型を必要としないので、多種多様な食品１３の製造上利用が多岐にわたる。
【符号の説明】
【００３１】Ａ  単層または表面が防水処理された板紙の台紙
１  台紙の底面
２，４  長辺側側壁
３，５  短辺側側壁
６  突出片
７  蓋部
８  単層または積層の合成樹脂フィルム
９  余剰部
１０  突出片の付け根部上端の接着箇所
１１  台紙とフィルムの接着箇所
１２  再形成用の上下食い違いに嵌合する溝部
１３  食品
【要約】      （修正有）【課題】型枠、射出成型の容器を用いず、板紙と合成樹脂フィルムによって構成された直方体形状の容器の四隅から食品の漏れや流出を防止する。【解決手段】単層の紙または表面が防水処理された板紙で底面およびの四側縁に側壁が連設されて、四側壁の向かい合う二側壁の左右の両端部に第二の側壁を作る突出片を設けて、側壁上縁に折目を介して蓋片が連設されて打ち抜かれた台紙Ａの内面に、側壁を起立した際に隣接する側壁の四隅の隙間から外側におおよそ三角形状にはみ出す余剰部を設けて切断した単層または積層の合成樹脂フィルム８を底面および各側壁面の任意の箇所と突出片の上端付け根部で熱圧着または接着剤によって接着し、側壁を起立させて、直方体形状を形成し内壁面を単層または積層の合成樹脂フィルム８で覆うことを特徴とする包装容器の製造法。【選択図】図５【図１】
0005291217.tif 000002
【図２】
0005291217.tif 000003
【図３】
0005291217.tif 000004
【図４】
0005291217.tif 000005
【図５】
0005291217.tif 000006
【図６】
0005291217.tif 000007
【図７】
0005291217.tif 000008
【図８】
0005291217.tif 000009
【図９】
0005291217.tif 000010
【図１０】
0005291217.tif 000011